(57)【要約】マイクロ流体、従来型、半自動化および手動の合成システムによって生産された放射性トレーサおよび非放射性材料の精製のためのシステムおよび方法が本明細書中に記載されている。
2015517092.tif 000002
【特許請求の範囲】
【請求項１】
化合物精製システムであって、
未精製の反応生成物を保管するための液体保管デバイスと、
第１のマルチポートバルブであって、
水またはバッファーの供給源に接続されるように構成された該第１のマルチポートバルブの第１ポート、
反応生成物を供給するデバイスに接続されるように構成された該第１のマルチポートバルブの第２ポート、
液体保管デバイスの流入口に接続された該第１のマルチポートバルブの第３ポート、
液体保管デバイスの流出口に接続された該第１のマルチポートバルブの第４ポート、および
該第１のマルチポートバルブからの流出口を提供する第５ポート
を有する第１のマルチポートバルブと、
前濃縮カラムと、
精製カラムと、
第２のマルチポートバルブであって、
第１のマルチポートバルブからの流出口に接続され、かつ第１のマルチポートバルブから未精製の反応生成物を受け取るように構成された、該第２のマルチポートバルブの第１ポート、
前濃縮カラムの流入口に接続された該第２のマルチポートバルブの第２ポート、
前濃縮カラムの流出口に接続された該第２のマルチポートバルブの第３ポート、および
精製カラムの流入口に接続された該第２のマルチポートバルブの第４ポート
を有する第２のマルチポートバルブと
を含んでなるシステム。
【請求項２】
第３のマルチポートバルブであって、精製カラムの流出口に接続された該第３のマルチポートバルブの第１ポートと、廃棄物収集デバイスに接続された該第３のマルチポートバルブの第２ポートと、生成物収集デバイスに接続された該第３のマルチポートバルブの第３ポートとを含んでなる第３のマルチポートバルブをさらに含んでなる、請求項１に記載のシステム。
【請求項３】
第２のマルチポートは、多位置形バルブであって、
第１の位置において、使用時に液体が第１ポートから前濃縮カラムを横切って廃棄ポートを出て流れることができるように、第１ポート、第２ポート、第３ポート、および廃棄ポートの間に流体経路を提供し、かつ、
第２の位置において、使用時に液体が前濃縮カラムを横切ってから精製カラムを横切って流れることができるように、第２ポート、第３ポート、第４ポート、第５ポート、および流出ポートの間に流体経路を提供する
ように構成された多位置形バルブを含んでなる、請求項１に記載のシステム。
【請求項４】
化合物精製システムであって、
多位置形のマルチポートバルブ、
該バルブの第１ポートに接続された流入口と該バルブの第２ポートに接続された流出口とを有する前濃縮カラム、および
該バルブの第３ポートに接続された流入口と、流出口とを有する精製カラム
を、含んでなり、
第１の位置では、該マルチポートバルブは、使用時に液体が流入ポートから前濃縮カラムを横切って廃棄ポートへと流れることができるように、流入ポートと廃棄ポートとの間に流体経路を提供するように構成されており、第２の位置では、該マルチポートバルブは、使用時に液体が前濃縮カラムから精製カラムへと流れることができるように、前濃縮カラムと精製カラムとの間に流体経路を提供するように構成されている、システム。
【請求項５】
精製カラムの流出口に接続された生成物収集デバイスをさらに含んでなる、請求項４に記載のシステム。
【請求項６】
第２のバルブであって、
水またはバッファーの供給源に接続されるように構成された該第２のバルブの第１ポートと、
反応生成物を供給するデバイスに接続されるように構成された該第２のバルブの第２ポートと、
液体保管デバイスの流入口に接続された該第２のバルブの第３ポートと、
液体保管デバイスの流出口に接続された該第２のバルブの第４ポートと、
該第２のバルブからの流出口を提供する第５ポートと、
該第２のバルブの第５ポートを多位置形のマルチポートバルブの流入ポートに接続しているチューブと
を有する第２のバルブをさらに含んでなる、請求項４に記載のシステム。
【請求項７】
液体保管デバイスはコイル状の、ＰＥＥＫ、ステンレス鋼またはガラスのチューブを含んでなる、請求項６に記載のシステム。
【請求項８】
前濃縮カラムは一体型カラムを含んでなる、請求項４に記載のシステム。
【請求項９】
該バルブは、流出物の流れを廃棄ポートと該バルブの第５ポートに接続された生成物バイアルとの間に誘導するように構成されている、請求項４に記載のシステム。
【請求項１０】
前濃縮カラムに液体を押し進めたり引き寄せたりするように構成されたポンプをさらに含んでなる、請求項４に記載のシステム。
【請求項１１】
前濃縮カラムは前濃縮カラムを保護するように構成されたガードカラムをさらに含んでなる、請求項４に記載のシステム。
【請求項１２】
前濃縮カラムは吸着性材料を含んでなる、請求項４に記載のシステム。
【請求項１３】
マルチポートバルブを第１の位置に配置するステップであって、該マルチポートバルブは前濃縮カラム、精製カラム、廃棄物容器、および保管容器に接続されたポートを有している、ステップと、
第１の位置にある間に、前濃縮カラムを横切って液体を廃棄物容器へと押し進めて、前濃縮カラムによって捕捉されなかった不純物が廃棄物容器へ流れるようにするステップと、
前濃縮カラムを横切って液体を押し進めた後に、マルチポートバルブを第１の位置とは異なる第２の位置に配置するステップと、
第２の位置にある間に、液体を前濃縮カラムから精製カラム上へと溶出させるステップと
を含んでなる方法。
【請求項１４】
液体を精製カラムから保管容器内へと押し進めるステップをさらに含んでなる、請求項１３に記載の方法。
【請求項１５】
前濃縮カラムを横切って液体を押し進めるステップは、前濃縮カラムを横切って１０ｍｌ未満の少量の液体を押し進めることを含んでなる、請求項１３に記載の方法。
【請求項１６】
液体を前濃縮から溶出するステップは、１０ｍｌ未満の溶媒を用いて前濃縮から液体を溶出することを含んでなる、請求項１３に記載の方法。
【請求項１７】
前濃縮カラムは一体型カラムを含んでなる、請求項１３に記載の方法。
【発明の詳細な説明】
【技術分野】
【０００１】
放射性トレーサおよび非放射性材料の精製用のシステムおよび方法について、本明細書中に記載される。
【背景技術】
【０００２】
単一光子放射型コンピュータ断層撮影法（Ｓｉｎｇｌｅ  Ｐｈｏｔｏｎ  Ｅｍｉｓｓｉｏｎ  Ｃｏｍｐｕｔｅｄ  Ｔｏｍｏｇｒａｐｈｙ；ＳＰＥＣＴ）および陽電子放射断層撮影法（Ｐｏｓｉｔｒｏｎ  Ｅｍｉｓｓｉｏｎ  Ｔｏｍｏｇｒａｐｈｙ；ＰＥＴ）は、疾患の検出に使用される分子イメージング技術である。ＰＥＴイメージングシステムは、患者の組織における陽電子放射性同位元素の分布に基づいてイメージを作出する。該同位元素は、典型的には、分子に共有結合している陽電子放射性アイソトープ（例えば炭素１１、窒素１３、酸素１５、もしくはフッ素１８）、または共有結合しているかもしくは錯体形成によって結合している単一光子放射性同位元素（例えばテクネチウム９９ｍ、ヨウ素１２３もしくはインジウム１１１）を含んでなるプローブ分子であって、体内で容易に代謝もしくは局在化せしめられるか、または体内のレセプタ部位に化学的に結合する、プローブ分子の注入によって患者に投与される。ＰＥＴプローブについては、陽電子放出核の半減期が短いことから、該プローブの合成、分析および精製が迅速に完了することを必要とする。
【０００３】
数多くの放射性医薬化合物の調製用に大量合成モジュールが開発および使用されてきており、通常はこれらの種類のシステムで生産された材料の精製はセミ分取精製システムを利用して大量の精製放射性トレーサを生じる。
【発明の概要】
【課題を解決するための手段】
【０００４】
放射性トレーサおよび非放射性材料のような化合物の精製用のシステムおよび方法が、本明細書中に記載される。より具体的には、高速、効率的かつコンパクトな方式でのイメージング（例えば、陽電子放射断層撮影法（ＰＥＴ）によるイメージング）のための放射性化合物の完全自動精製が本明細書中に記載される。実施形態は、より少ない量の溶媒を利用した放射性医薬品の迅速精製用の、自動化された独立型の機器に関し、該機器は放射能濃度の上昇をもたらすことができる。
【０００５】
いくつかの実施形態では、マイクロ流体デバイス、従来型の自動システム、半自動で調製された放射性トレーサおよび非放射性材料の両方、ならびに手動で調製される材料までも含めた精製全体を、従来型の分取クロマトグラフィシステムより短い期間で完了せしめることができる。いくつかのさらなる実施形態では、本明細書中に記載されるシステムおよび方法は、合成デバイスで生産された放射性トレーサを精製し、かつ得られた材料の放射能濃度を上昇させるために使用されるのに必要な溶媒の量を低減することができる。
【０００６】
いくつかの態様では、化合物精製システムは、多位置形のマルチポートバルブ、該バルブの第１ポートに接続された流入口（ｉｎｐｕｔ）および該バルブの第２ポートに接続された流出口（ｏｕｔｐｕｔ）を有する前濃縮カラム、ならびに該バルブの第３ポートに接続された流入口および流出口を有する精製カラムを備えている。第１の位置では、該マルチポートバルブは、使用時に液体が流入ポートから前濃縮カラムを横切って廃棄ポートへと流れることができるように、流入ポートと廃棄ポートとの間に流体経路を提供するように構成されており、第２の位置では、該マルチポートバルブは、使用時に液体が前濃縮カラムから精製カラムへと流れることができるように、前濃縮カラムと精製カラムとの間に流体経路を提供するように構成されている。
【０００７】
実施形態は下記のうち１つ以上を備えることができる。
該システムは、精製カラムの流出口に接続された生成物収集デバイスを備えることもできる。
【０００８】
該システムは、第２のバルブであって、水またはバッファーの供給源に接続されるように構成された該第２のバルブの第１ポート、反応生成物を供給するデバイスに接続されるように構成された該第２のバルブの第２ポート、液体保管デバイスの流入口に接続された該第２のバルブの第３ポート、液体保管デバイスの流出口に接続された該第２のバルブの第４ポート、および、該第２のバルブからの流出口を提供する第５ポート、も備えている。
【０００９】
該システムは、第２のバルブの第５ポートを多位置形のマルチポートバルブの流入ポートに接続するチューブを備えることもできる。
液体保管デバイスは、コイル状の、ＰＥＥＫ、ステンレス鋼またはガラスのチューブであってよい。
【００１０】
前濃縮カラムは一体型カラムであってよい。
バルブは、流出物の流れを廃棄ポートとバルブの第５ポートに接続された生成物バイアルとの間で誘導するように構成されうる。
【００１１】
該システムは、前濃縮カラムに液体を押し進めたり引き寄せたりするように構成されたポンプを備えることもできる。
前濃縮カラムはさらに、前濃縮カラムを保護するように構成されたガードカラムを備えることができる。
【００１２】
前濃縮カラムは吸着性材料を備えることができる。
いくつかの態様では、方法は、マルチポートバルブを第１の位置に配置するステップであって、該マルチポートバルブは前濃縮カラム、精製カラム、廃棄物容器、および保管容器に接続されたポートを有している、ステップと、第１の位置にある間に、前濃縮カラムを横切って液体を廃棄物容器へと押し進めて、前濃縮カラムによって捕捉されなかった不純物が廃棄物容器へ流れるようにするステップと、前濃縮カラムを横切って液体を押し進めた後に、マルチポートバルブを第１の位置とは異なる第２の位置に配置するステップと、第２の位置にある間に、液体を前濃縮カラムから精製カラム上へと溶出させるステップと、を備えることができる。
【００１３】
実施形態は下記のうち１つ以上を備えることができる。
該方法は、液体を精製カラムから保管容器内へと押し進めるステップを備えることもできる。
【００１４】
前濃縮カラムを横切って液体を押し進めるステップは、前濃縮カラムを横切って１０ｍｌ未満という少量の液体を押し進めることを含みうる。
前濃縮から液体を溶出するステップは、１０ｍｌ未満の溶媒を使用して前濃縮から液体を溶出することを含みうる。
【００１５】
前濃縮カラムは一体型カラムであってよい。
いくつかのさらなる態様では、化合物精製システムは、未精製の反応生成物を保管するための液体保管デバイス、第１のマルチポートバルブ、前濃縮カラム、精製カラム、第２のマルチポートバルブを備えることができる。第１のマルチポートバルブは、水またはバッファーの供給源に接続されるように構成された該第１のマルチポートバルブの第１ポート、反応生成物を供給するデバイスに接続されるように構成された該第１のマルチポートの第２ポート、液体保管デバイスの流入口に接続された該第１のマルチポートバルブの第３ポート、該液体保管デバイスの流出口に接続された該第１のマルチポートバルブの第４ポート、および、該第１のマルチポートバルブからの流出口を提供する第５ポート、を備えることができる。第２のマルチポートバルブは、第１のマルチポートバルブの流出口に接続され、かつ第１のマルチポートバルブから未精製の反応生成物を受け取るように構成された、該第２のマルチポートバルブの第１ポート、前濃縮カラムの流入口に接続された該第２のマルチポートバルブの第２ポート、前濃縮カラムの流出口に接続された該第２のマルチポートバルブの第３ポート、および、精製カラムの流入口に接続された該第２のマルチポートバルブの第４ポート、を備えることができる。
【００１６】
実施形態は下記のうち１つ以上を備えることができる。
該システムは、第３のマルチポートバルブであって、精製カラムの流出口に接続された該第３のマルチポートバルブの第１ポート、廃棄物収集デバイスに接続された該第３のマルチポートバルブの第２ポート、および、生成物収集デバイスに接続された該第３のマルチポートバルブの第３ポート、を含んでなる第３のマルチポートバルブも備えることができる。
【００１７】
第２のマルチポートバルブは、多位置形バルブであって、第１の位置において、使用時に液体が第１ポートから前濃縮カラムを横切って廃棄ポートを出て流れることができるように、第１ポート、第２ポート、第３ポート、および廃棄ポートの間の流体経路を提供し、かつ、第２の位置において、使用時に液体が前濃縮カラムを横切ってから精製カラムを横切って流れることができるように、第２ポート、第３ポート、第４ポート、第５ポート、および流出ポートの間に流体経路を提供するように構成された、多位置形バルブであってよい。
【００１８】
該システムは、精製カラムの流出口に接続された生成物収集デバイスを備えることもできる。
該システムは、第１のバルブの流入ポートに第２のバルブを接続するチューブを備えることもできる。
【００１９】
液体保管デバイスは、コイル状の、ＰＥＥＫ、ステンレス鋼またはガラスのチューブであってよい。
前濃縮カラムは一体型カラムであってよい。
【００２０】
バルブは、流出物の流れを廃棄ポートとバルブの第５ポートに接続された生成物バイアルとの間で誘導するように構成されうる。
該システムは、前濃縮カラムに液体を押し進めたり引き寄せたりするように構成されたポンプを備えることもできる。
【００２１】
前濃縮カラムはさらに、前濃縮カラムを保護するように構成されたガードカラムを備えることができる。
前濃縮カラムは吸着性材料を備えることができる。
【００２２】
本発明のその他の特徴および利点は、図面、詳細な説明、および特許請求の範囲から明白となろう。
【図面の簡単な説明】
【００２３】
【図１】材料精製システムの概略図。
【図２】材料精製工程のフローチャート。
【図３Ａ】材料精製システムの概略図。
【図３Ｂ】材料精製システムの概略図。
【図４】材料精製システムの概略図。
【図５Ａ】典型的なプロットを示す図。
【図５Ｂ】典型的なプロットを示す図。
【図５Ｃ】典型的なプロットを示す図。
【図５Ｄ】典型的なプロットを示す図。
【図５Ｅ】典型的なプロットを示す図。
【図５Ｆ】典型的なプロットを示す図。
【図５Ｇ】典型的なプロットを示す図。
【図５Ｈ】典型的なプロットを示す図。
【図５Ｉ】典型的なプロットを示す図。
【図５Ｊ】典型的なプロットを示す図。
【図５Ｋ】典型的なプロットを示す図。
【図５Ｌ】典型的なプロットを示す図。
【発明を実施するための形態】
【００２４】
陽電子放射断層撮影法（ＰＥＴ）などによるイメージング用の化合物を含む、化合物の自動精製のための方法およびデバイスが、本明細書中に開示される。特に、本明細書中に記載されるシステムおよび方法は、従来型の分取クロマトグラフィシステムより短い期間内で、マイクロ流体デバイス、従来型の自動システム、半自動で調製された放射性トレーサおよび非放射性材料の両方、ならびに手動で調製される材料までも含めた全精製を可能にすることができる。例えば、該システムによって受け取られた粗製反応生成物は、１０分以下の期間で精製可能である。さらに、本明細書中に記載されたシステムおよび方法は、放射性トレーサを精製するために必要な溶媒量の低減を可能にし、かつ得られる材料の放射能濃度を従来型の分取クロマトグラフィシステムと比較して高めると考えられる。例えば、放射性トレーサは１２ｍｌ以下の溶媒を使用して精製可能であり、典型的には１ｍｌ未満の溶媒中に得ることができる。
【００２５】
本明細書中に記載されたシステムにより、著しく高い段数（ｐｌａｔｅ  ｃｏｕｎｔｓ）（例えば６０００以上の段数）を示しつつ、かつ著しく少ない量の溶媒を使用して（１２ｍｌ以下の溶媒を使用して）、単一のデバイスにおいて従来型の放射化学精製システムより短い期間内（例えば１５分以下の期間内）にて精製サイクル全体を完了せしめることが可能となる。
【００２６】
図１を参照すると、陽電子放射断層撮影法（ＰＥＴ）によるイメージング用などの、放射性トレーサおよび非放射性材料のような化合物を精製するためのシステムが示されている。いくつかの実施形態では、精製サイクル全体が該システム上で自動化されかつ独立した運転方式で完了されうる。
【００２７】
使用時、所望の化合物を含んでいる粗製反応生成物は該システムによって反応槽１２から受け取られ、前濃縮カラム２８および分析カラム４０の組み合わせを使用して精製され、生成物保管槽４８の中へと産出される。該システムは、精製工程の間に該システムを通して液体を誘導するように構成された２つの多位置形マルチポートバルブ１８および３４を備えている。該システムは、流出物を精製カラムから廃棄物容器４７または生成物保管槽４８のいずれかに誘導するように構成された第３のバルブ４１も備えている。
【００２８】
より具体的には、粗製反応液は、マルチポートバルブ１８のポートに接続される反応システム１２によって生成される。液体保管槽２０はバルブ１８の別のポートに接続され、反応システム１２から未精製の反応液１６を受け取って保管するように構成されている。例えば、未精製の液体は、反応システム１２から（矢印１６によって示されるように）マルチポートバルブ１８の第１のバルブの中へ、そして（矢印２２によって示されるように）第２のバルブから出て液体保管槽２０の中に押し込まれることが可能である。未精製の液体は、精製工程が始まるまで液体保管槽２０に保管可能である。いくつかの実施例では、液体保管槽２０は、ＰＥＥＫ、ステンレス鋼またはガラスのチューブのようなコイル状チューブから形成可能である。該チューブは、１〜１０ｍｌの液体のような少量の流体の保管場所を提供することができる。
【００２９】
該システムは、マルチポートバルブ１８に接続された水またはバッファーの供給源１０も備えている。液体保管槽２０に一時的に保管された液体を精製するためには、液体保管槽２０からの液体は、水バッファーの供給流入源（ｓｕｐｐｌｙ  ｉｎｐｕｔ）１０からの水またはバッファーの液体１４によって第２のマルチポートバルブ３４に押し進められる。より具体的には、マルチポートバルブ１８のバルブが開放されて供給流入源からの水またはバッファーがマルチポートバルブ１８を通って液体保管槽２０の中へ誘導されることが可能となる。供給源１０からの液体が該保管槽を満たすにつれて、液体保管槽２０に保管された反応システム１２由来の液体は、該保管槽２０からマルチポートバルブ３４の中へ押し込まれる。マルチポートバルブ３４に入ると、この未精製の反応液は矢印３０によって示されるように前濃縮カラム２８へと誘導される。
【００３０】
一般に、前濃縮カラムは、精製されるべき化合物の濃縮のために構成された任意のカラムまたは吸収材であってよい。典型的な前濃縮カラムには、高速液体クロマトグラフィ（ＨＰＬＣ）で使用されるような一体型カラムが挙げられる。ＨＰＬＣにおける分離の基本的方法は、閉じた環境（例えば一体型カラム）において固定相（微粒シリカ充填物、モノリスなど）を通過せしめられる移動相（水、有機溶媒など）に依存する。対象とする化合物ならびに移動相および固定相の間の反応性の差は、一連の吸脱着現象において化合物を相互に識別する。いくつかの実施例では、前濃縮カラムは、放射性トレーサの前濃縮に関連した背圧の低減を可能にする一体型カラムである。別の典型的な実施形態では、前濃縮カラムは、通常はＨＰＬＣカラムのガードカラムとして関係する任意の適切なカラムであってもよい。別の典型的な実施形態では、前濃縮カラムは、適切なイオン交換、ゲル濾過、ゲル浸透、または任意の親和性／生体親和性カラムである。
【００３１】
未精製の反応液３０が前濃縮カラム２８へと誘導されるにつれて、対象化合物は前濃縮カラム２８で収集される。付加的な液体および他の廃棄物（塩類および不純物など）は、前濃縮カラム２８を通って廃棄物容器４６（例えば排液管または保管コンテナ）の中へと誘導される。よって、前濃縮カラム２８は未精製の反応液から対象とする物質を捕捉する。所望量の未精製反応液が前濃縮カラム２８を横切って誘導された後、溶媒または他の液体が、該一体型カラム２８によって捕捉された物質を分析カラム４０に押し進めるために前濃縮カラム２８を横切って誘導される。該分析カラムは、前濃縮カラムから受け取られた混合物の成分をさらなる使用のために分離する（したがって精製の一種である）。したがって、この実施例では、該分析カラムは液体に含まれた化合物の分析を提供するのではなく、さらなる使用のための十分な量の物質を精製するために、分取クロマトグラフィの工程において使用される。
【００３２】
より具体的には、前濃縮カラム２８の流出口はマルチポートバルブ３４における接続によって分析カラム４０の流入口に接続される。この接続により、前濃縮カラム２８からの液体（矢印３２によって示される）がマルチポートバルブ３４を横切って（矢印３６によって示されるように）分析カラム４０に向けて誘導されることが可能となる。前濃縮カラム２８からの液体のさらなる精製は分析カラム４０で行われる。例えば、対象とする物質（例えば放射性トレーサおよび放射性同位元素のうち少なくともいずれか）は時に、分析カラムの支持体粒子上に固定化される固定相（ｓｔａｔｉｏｎａｒｙ  ｐｈａｓｅ）である、固定化相（ｉｍｍｏｂｉｌｉｚｅｄ  ｐｈａｓｅ）と呼ばれる。したがって、対象とする物質は、前濃縮カラム２８からの液体が分析カラム４０を通過するときに分析カラム４０の内部に保持される。この工程中、分析カラムの流出口はバルブ４１によって廃棄物容器４７（例えば排液管または保管コンテナ）に接続される（矢印４３によって示されるとおり）。精製が完了した後、分析カラム４０に捕捉された材料は、分析カラム４０から（例えば溶出されて）バルブ４１を通って生成物保管槽４８の中へ誘導される（矢印４４によって示されるとおり）。このように図１のシステムでは、単一システム（例えば閉じた液通路）により、反応システム１２からの未精製の反応液が精製されて生成物保管槽４８に保管されることが可能となる。該システムでは、前濃縮カラム２８の流出口は、マルチポートバルブ３４の第１の位置においては廃棄物ラインに、およびマルチポートバルブ３４の第２の位置においてはマルチポートバルブを通して分析カラム４０の流入口に、接続される。
【００３３】
図１に示されたシステムは、反応生成物の精製において様々な利点を備えていると考えられる。いくつかの実施例では、該システムは、少量（例えば１ｍｌ以下）の液体または溶媒中の化合物の精製を可能にする。ということは、精製された反応生成物が溶媒の蒸発のような追加の後処理ステップを必要とせずに直接使用される（例えば、ヒトまたは動物に直接投与される）ことが可能となりうる。対照的に、化合物を精製するために大量のエタノールまたはその他の溶媒が使用される場合、該溶媒は該化合物の使用に先立って除去される必要があり、これは該化合物の精製にさらなる時間および処理ステップを加える可能性がある。いくつかの実施形態では、化合物を精製するために、より少ない量の溶媒を使用する結果として、精製される材料の放射能濃度の増大がもたらされる。いくつかのさらなる実施例では、図１に示されたシステムは、化合物を精製するための処理時間をより短くすることができる。例えば、短い半減期（例えば２５分以下の半減期）の同位元素を精製する場合、処理時間が長くなるにつれて同位元素の濃度が低下するので総処理時間は極めて重要となりうる。したがって、前濃縮カラム２８および分析カラム４０の両方を備えて、液体を精製するために液体が反応システムから前濃縮カラム２８を通して分析カラム４０へと直接押し進められることを可能にしている単一システムを有することは、反応システムからの化合物を精製するのに必要な処理時間を短縮するという利点を備えている。
【００３４】
バルブ１８、３４および４１は、任意の既知の方式によって制御可能かつ異なる位置に移行可能である。例えば、バルブは空気式アクチュエータによって制御可能である。いくつかのさらなる実施例では、バルブはソレノイドによって制御可能である。いくつかのさらなる実施例では、バルブは該バルブに接続されたコンピュータデバイスによって電子工学的に制御可能である。
【００３５】
図２を参照すると、マルチポートバルブによって互いに接続された前濃縮カラムおよび分析カラムを使用して反応生成物を精製するための処理過程５０が示されている。ブロック５２に示されるように、処理過程５０は反応システムからの少量の液体で液体保管槽を満たすことを含む。例えば、未精製の反応液の全体積は１０ｍＬ以下であってよい。ブロック５４に示されるように、液体保管槽からの液体は前濃縮カラムへと押し進められる。液体が前濃縮カラムを横切って押し進められるにつれて、前濃縮カラムによって捕捉されない過剰な液体および不純物はブロック５６に示されるように廃棄物容器へと流れる。未精製の反応液が前濃縮カラムを横切って押し進められた後、前濃縮カラムで捕捉された化合物はブロック５８に示されるように溶媒を使用して分析カラムへと溶出される。最後に、分析カラムによって捕捉された、初期反応生成物の精製形態を提供する化合物は、保管槽内へと押し込まれる。例えば、該化合物は少量の溶媒を使用して分析カラムから溶出せしめることができる。図２には示されていないが、精製サイクルが完了した後で、システムの浄化および汚染除去を行うためにさらなる液体または溶媒が該システムを通して押し進められてもよい。加えて、空気、または窒素のような他の気体が、残留しているあらゆる液体または溶媒をシステムから除去し、かつ該送達システムに含まれる所望の材料の損失を最小限にするために、該送達システムを通して押し進められてもよい。
【００３６】
図３Ａおよび３Ｂは、該精製システムの典型的な実施形態を示す。上述のように、精製システムは、前濃縮カラム１２０、例えば一体型カラム、および分析カラム１２３の両方を備えている。マルチポートバルブ１２５は二位置形の１０ポートバルブである。位置Ａでは、マルチポートバルブ１２５において第１組のポートが互いに接続され、これにより前濃縮カラムへの流入口はバルブ１０１に接続し、このバルブ１０１は未精製の反応混合物を前濃縮カラムに移送するために使用され、前濃縮カラムの流出口は廃棄に接続される。廃棄は、前濃縮カラムによって保持されなかったあらゆる材料を含むことになる。この位置では、分析カラムはＨＰＬＣに接続され、前濃縮が行われる間に精製のために準備されている。位置Ｂでは、第１組のポートとは異なる第２組のポートが互いに接続され、かつこの位置ではＨＰＬＣは前濃縮カラムに接続され、次いで前濃縮カラムは分析カラムに接続される。これら２つの位置および関連する接続は、それぞれ図３Ａおよび３Ｂに示されている。したがって、マルチポートバルブ１２５の位置を位置Ａから位置Ｂへと変更することにより、該マルチポートバルブにおける接続は図面に示されたバルブ内の実線によって示されるように改変される。典型的なマルチポートバルブは、アナリティカル・セールス・アンド・サービス社（Ａｎａｌｙｔｉｃａｌ  Ｓａｌｅｓ  ａｎｄ  Ｓｅｒｖｉｃｅ，  Ｉｎｃ．）から入手可能な部品番号ＭＸＰ７９６０−０００である。
【００３７】
該システムは、バルブ１２５に誘導する液体を選択するために使用される第２のマルチポートバルブ１０１も備えている。バルブ１０１は、水／バッファー流入口１０１および反応システム１０７からの流入口のような様々な流入口に接続される。加えて、バルブ１０１は、精製前の反応生成物の保管を提供する保管槽に接続される。
【００３８】
使用時、マルチポートバルブ１２５は当初は位置Ａに配置される。位置Ａでは、マルチポートバルブ１０１からの液体（例えば未精製の反応液）は、マルチポートバルブ１２５のポート１１０で受け取られる。ポート１１０は液通路経由でポート１１１に接続され、ポート１１１は一体型カラム１２０の流入口１２１に接続される。一体型カラム１２０の流出口（流出口１２２）はマルチポートバルブ１２５のポート１１７に接続される。マルチポートバルブ１２５のポート１１７はポート１１８に接続され、ポート１１８は廃棄物コンテナに接続される。したがって、使用時、未精製の反応液はマルチポートバルブ１０１から直接一体型カラム１２０に（例えばポート１１０および１１１の接続を通じて）押し進められることが可能であり、一体型カラム１２０によって捕捉されない過剰な液体および化合物はポート１１８を通って廃棄物コンテナに直接排出されることが可能である。
【００３９】
所望の量の未精製反応液が一体型カラム１２０を横切って押し進められた後、マルチポートバルブ１２５は位置Ａから位置Ｂへと変更される。位置Ｂでは、マルチポートバルブ１２５の内部接続は位置Ａの内部接続から改変される。位置Ｂでは、ポート１１０におけるマルチポートバルブ１０１からの流入口は、ポート１１８の廃棄物容器に直接接続される。位置Ｂでは、ＨＰＬＣが捕捉カラム（例えば一体型カラム１２０）および分析カラム１２３の両方と連動して、分析カラム１２３における化合物のさらなる精製を可能にする。ＨＰＬＣからの液体はポート１１６を通って一体型カラム１２０へと誘導される。ポート１１６はポート１１７に接続されて、ポート１１６で受け取られた液体が一体型カラム１２０へと押し進められるようになっている。一体型カラム１２０の流出口はポート１１１に接続され、ポート１１１はバルブ１２５を通ってポート１１２に接続され、ポート１１２は分析カラム１２３の流入口に接続される。したがって、位置Ｂでは、ＨＰＬＣポンプは、一体型カラム１２０において捕捉された化合物を、分析カラム１２３へ向けて流し出す、すなわち溶出させる。
【００４０】
図３に示されるシステムを使用して液体を精製するためには、最初に１０方向バルブ１２５は位置Ｂに定められる。続いて、ループ（例えば液体保管槽であり、これは１つの実施例ではＰＥＥＫチューブのループまたはコイルであってよい）が水またはバッファーで（例えば最大５ｍｌの水またはバッファーで）充填される。続いて、バルブ１０１は、水／バッファーを、材料および１０方向バルブ１２５の過剰量の流出廃棄物とともにポートＥからループに向かって押し進めるように定められる。その後、１０方向バルブ１２５は位置Ａに切り替えられてＨＰＬＣポンプが始動せしめられる。続いて、反応槽は、有機物濃度を典型的には＜１０％に低下させるのに十分な水で希釈される。次いで、その量がループに装荷され（例えば、液体保管槽に押し込まれ）、次に一体型カラムへと押し進められ、該ループは反応槽からの溶液すべてを一体型カラムに通すために何度も再充填されうる。捕捉カラム１２０への材料の装荷が完了すると、ループは多量の水で満たされ、これは塩類および極性材料を除去するために捕捉カラムを横切って押し進められる。続いて、１０方向バルブ１２５は位置Ａに切り替えられ、ＨＰＬＣポンプが始動せしめられる。これは、より多くの有機溶媒を取り除くために水を用いて一体型カラムを洗い流す。その後、１０方向バルブは位置Ｂに切り替えられ、ＨＰＬＣポンプは一体型カラムを分析カラムへと（例えば、主として水を始点とし、分離を行なうために必要な有機物まで漸増するステップまたはグラジエントを使用して）洗い流す。最後に、一体型カラムおよび分析カラムは開始状態へと再び平衡化される。
【００４１】
図４を参照すると、化合物の精製のための別の典型的なシステムが示されている。図４のシステムは、反応生成物が該精製システムに投入されるときの該反応生成物の直接的希釈を可能にする。図４のシステムでは、反応システム１５０はバルブ１０１の流入口（例えばポートｅ）に接続されている。システム１５０は２つの反応装置（反応装置＃１および反応装置＃２）を備えているが、いかなる数の反応装置でも出力ライン１５１を介してマルチポートバルブ１０１の流入口に接続されることが考えられる。粗製反応生成物はポートＥで直接受け取られ、バルブ１０１のポートＨに接続された流入口を通した水または他の溶媒の投入により希釈され得る。ポートＨはバルブ１０１を通してポートＥに接続されているので、反応システム１５０からのポートＥへの液体の流れおよびポートＨへの液体の流れを改変することによって、粗製反応生成物の希釈は反応生成物が精製システムに投入されているときに達成可能である。例えば、シリンジに入った水／バッファー（例えば、ポートＨに取り付けられたもの）が、反応システムから生じてくる有機物を〜１０−２０％の有機物まで希釈するために使用されることになるか、または前濃縮カラムにおける所望の材料の効率的な捕捉を可能にするバルブであろう。
【００４２】
いくつかのさらなる実施形態では、精製システムはさらに、流体および気体の送達および除去のためのネットワークと連絡するようになされている。１つの実施形態では、１つ以上のシリンジが流体または気体の送達のために使用される。１つの実施形態では、該シリンジは、システムへの液体の効率的な送達を行うために、液体内容物を備えた１つ以上のバイアルより下方に位置付けられる。別の実施形態では、該シリンジはシステムへの気体の送達のために使用される。異なる実施形態では、該ネットワークは予め充填された個別のバイアル（該バイアルは、添加される溶液がより効率的な方式で前濃縮カラムに捕捉される形態になるように該溶液の品質を調節するために使用されるバッファーのような適切な希釈流体を含有していてもよい）および予め同梱されたカートリッジのうち少なくとも１つとともに作動するようになされており、これらのカートリッジは、ＨＰＬＣの圧力で作動することが可能であってかつ該カートリッジに含まれる化学物質の完全性を維持するために適切なポリマー、金属またはガラスで裏打ちされた金属もしくはポリマーから作製可能であり、該カートリッジは前濃縮捕捉体（ｐｒｅ−ｃｏｎｃｅｎｔｒａｔｉｏｎ  ｔｒａｐ）の代わりに使用され、かつ使い捨てであってもよいし複数回の精製ステップとして使用されてもよい。１つの実施形態では、カートリッジは、システムとともに単回使用するのに十分なあらかじめ測定された量の希釈剤を含んでいる。異なる実施形態では、液体の制御送達はシリンジポンプの使用によって影響を受ける。
【００４３】
別の実施形態によれば、溶媒の蒸発および蒸気の除去は、ガス容器またはガスタンクのような供給源から生成物バイアルへの送達ラインと並んで接続された「Ｔ」を通って得られる、ロトメータ、ニードルバルブまたはマスフローコントローラによって制御される流動気体により達成され、かつ、（例えば該生成物が分析カラムから受け取られた後で）生成物バイアル内部の溶液に関して必要であれば該気体を滅菌するために適切に濾過されてもよい。１つの実施形態では、該気体は窒素である。異なる実施形態によれば、溶媒の除去は、蒸発に使用された気体の加熱、および／または減圧の適用により、達成される。
【００４４】
別の実施形態によれば、該デバイスはバッチモードで作動するように構成される。
１つの実施形態では、該デバイスはストップドフロースルーモードと組み合わせて作動するように構成され、該モードにおいて、精製されるべき生成物はバイアル内に収集されてｐＨまたは有機物濃度の調節のような適切な操作が該バイアルになされてから精製が行われる一方、異なる実施形態では、該デバイスはサンプリングフロースルーモードで作動するように構成される。このモードでは、調節は、ｐＨまたは有機物含量などのような流体の特性を調節するために使用される調節用流体の流体流を使用して、連続流モードで行われる。本発明の異なる実施形態では、局所的シールディングが少なくとも前濃縮および分析カラムについて達成され、これによりホットセルまたは他の大型シールドルームに局限する必要を伴わずに精製が行われることが可能となる。
【００４５】
別の実施形態では、コントローラはプログラマブルロジックコントローラおよびユーザインタフェースを含んでなる。１つの実施形態では、ユーザインタフェースは、手動、半自動型、および全自動のデバイス操作のうち少なくとも１つを達成するように構成される。
【００４６】
別の実施形態によれば、該デバイスは、生産デバイスからシステムへの装荷の前に粒子状物質を除去するための、図３Ａのコンテナ１０７または図４のライン１５１への流体の添加の前に位置付けられる、１つ以上の内部フィルタをさらに含んでなる。別の実施形態では、局所的シールディングはユニット全体を取り囲んで（ａｒｏｕｎｄ）、該ユニットがホットセルまたはその他の大型シールドデバイスの外側で作動されうるようになっており、かつ、ユーザが行う複数回の精製稼働における該ユーザの放射線被爆を防止する。
【００４７】
別の実施形態によれば、該デバイスは、滅菌シリンジに含められた、または適切なシリンジ駆動装置によって制御された滅菌シリンジの中へ滅菌バイアルから取得された、適切な希釈流体の使用によって、最終的な収集量を生体適合性の流体を用いて自動的に希釈することが可能である。
【００４８】
本発明の異なる態様はコンピュータ可読媒体上に具現化されたプログラムコードを包含し、該プログラムコードは、マイクロ流体システム、完全に自動化された従来システム、半自動化または手動のシステムを使用する放射標識化合物の精製のための方法を、コントローラに実践させるための命令を含んでなる。
【００４９】
加えて、本発明の様々な実施形態に従う方法およびデバイスは、以降のさらなる特徴および利点を提供しうる：該デバイスは、ユーザの放射線被爆を伴わない複数回の精製稼働を行なう能力を有しうる（異なる生成物の精製を含む）。いくつかの実施例では、局所的シールディングはユーザおよび電子機器を同時に保護することができる。いくつかの実施例では、自動化された生成物の認識および単離が提供されうる。いくつかの実施例では、システムを、卓上操作用であり換気フードのような排気対応不要であるように構成することが可能である。いくつかの実施例では、システムは自動有機溶媒除去システムを備えることができる。いくつかの実施例では、全工程を単一のコマンドで自動的に実施させることが可能である。
【００５０】
いくつかの実施例では、本明細書中に記載されたシステムおよび方法は、Ｆ−１８で放射標識された医薬品、例えば２−デオキシ−２−［Ｆ−１８］−フルオロ−Ｄ−グルコース（１８Ｆ−ＦＤＧ）、３’−デオキシ−３’−［Ｆ−１８］−フルオロチミジン（１８Ｆ−ＦＬＴ）、９−［４−［Ｆ−１８］フルオロ−３（ヒドロキシメチル）ブチル］グアニン（１８Ｆ−ＦＨＢＧ）、９−［（３−［Ｆ−１８］フルオロ−１−ヒドロキシ−２−プロポキシ）メチル］グアニン（１８Ｆ−ＦＨＰＧ）、（３−（２’−［Ｆ−１８］フルオロエチル）スピペロン（１８Ｆ−ＦＥＳＰ）、４−［Ｆ−１８］フルオロ−Ｎ−［２−［１−（２−メトキシフェニル）−１−ピペラジニル］エチル］−Ｎ−２−ピリジン−イル−ベンズアミド（１８Ｆ−ｐ−ＭＰＰＦ）、２−［Ｆ−１８］フルオロ−α−メチルチロシン、［Ｆ−１８］フルオロミソニダゾール（１８Ｆ−ＦＭＩＳＯ）、５−［Ｆ−１８］フルオロ−２’−デオキシウリジン（１８Ｆ−ＦｄＵｒｄ）、ならびに１１Ｃ−ラクロプリドおよび１１Ｃ−メチオニンのようなその他の放射標識化合物、を精製するために使用することができる。
【実施例】
【００５１】
システムは図４に示される略図に示されるように設定された。１０ポート二位置形バルブの初期設定位置は位置Ｂである。下記の結果はコールドのＳＦＢを用いて実施されたいくつかの研究の結果である。ＳＦＢはペプチド、タンパク質、および抗体を標識するために使用される基（ｇｒｏｕｐ）である。
【００５２】
最初の試験は以下の設定を使用することにより実施された；
１）ポンプ上のシリンジは２．５ｍｌのシリンジである、
２）チューブは通常の設定で使用されるのと同様の方式でポンプ上に設定される、
３）ループの大きさは１．７４ｍＬである（この保管ループはシステムの残部と同様に使用されることになる）、
４）使用された一体型カラムはＰｈｅｎｏｍｅｎｅｘ（登録商標）Ｏｎｙｘ（商標）一体型Ｃ１８，５０×４．６ｍｍであった、
５）分析カラムは接続されなかったが、捕捉実施後の一体型カラムはＡｇｉｌｅｎｔ（登録商標）１２００へと移動せしめられてインジェクタと既存の分析カラムとの間に取り付けられた。
【００５３】
一体型カラムは、９０％アセトニトリル／水を用いて最初に洗浄し、次いで１００％の水を用いて該カラムを調製することにより、準備された。
１２．１ｍｇのＳＦＢ標準物の溶液は、４ｍｌの２０％アセトニトリル／水に溶解されて、３．０２５ｍｇ／ｍｌの最終溶液が得られた。１．７４ｍｌのループにこの溶液（５．２６ｍｇのＳＦＢ）が装荷され、次いでこの溶液は、シリンジ中の２．５ｍｌの水を使用してポートＥを通してこの水をループへと押し進めながら、１ｍｌ／分で一体型カラムを通して押し進められた。
【００５４】
使用されたＨＰＬＣシステムは、Ｐｈｅｎｏｍｅｎｅｘ（登録商標）Ｃ−１８（２）、５ｕｍ、Ｌｕｎａ（登録商標）４．６×２５０ｍｍのカラムであって、５０％アセトニトリル／１％酢酸の移動相を用いて１ｍｌ／分で０〜８分、次いで８〜１２から（ｆｒｏｍ  ８−１２）９０％アセトニトリル：１％酢酸の濃度までの線形グラジエントを用いて、溶出された。
【００５５】
図５Ａは、一体型カラムへの適用前の溶液の２０ｕｌ注入から得られたＨＰＬＣトレースのプロットを示す。図５Ａのプロットは、２０％ＡＣＮ／水に溶解した１２．１ｍｇ／４ｍｌの元の溶液を示す。図５Ｂは、実際のピークの周辺のエリアを示す拡大プロットを示す。７．４における微量の不純物はＳＦＢ標準物の軽微な分解である。所望のＳＦＢピークのエリアは３２４７．８８  ｍＡｕ＊ｓであった。
【００５６】
該溶液が一体型カラムを通過せしめられた後に得られた溶液はその後、一体型カラムを通したＳＦＢの破過（ｂｒｅａｋｔｈｒｏｕｇｈ）について判定するために注入された。図５Ｃおよび５Ｄは、該溶液の２０ｕｌ注入のプロット、例えば一体型カラム上での捕捉実施後の水のプロットを示す。
【００５７】
得られたエリアは２０．６３５９ｍＡｕ＊ｓであった。これは、該システムが所望の化合物の＜０．７％の破過を有することを示している。
捕捉された材料を伴った一体型カラムはシステムから取り外されてＡｇｉｌｅｎｔ（登録商標）１２００  ＨＰＬＣシステムのＨＰＬＣインジェクタと分析カラムとの間に設置され、該ＨＰＬＣシステムが始動せしめられて一体型カラムに捕捉された材料が溶出されるようにブランクの注入が行われた。保持時間は、分析カラム上に注入される前に一体型カラムから材料を溶出する必要があるため、わずかに遅れることになる。
【００５８】
図５Ｅおよび５Ｆは、一体型カラムに捕捉された材料についての結果のプロットを示す。ピークは検出器を飽和させたのでピーク形状は十分には見えず、所望のピーク付近のピークは〜５０００の段数を有している。
【００５９】
したがって、図５Ａ〜５Ｅに提示された実施例において示されるように、該システムは一体型カラムに載せられた事実上すべての材料を捕捉する能力を提供する。加えて、この材料の通常のセミ分取精製は、蒸発せしめる必要のある８〜１０ｍｌという体積をもたらす。分析カラムの使用により全体積は〜０．７ｍｌとなり、したがってわずか〜３５０ｕｌのアセトニトリルしか蒸発で除去される必要がなく、かつ少量のリン酸緩衝生理食塩水でｐＨ４．５〜８となるように希釈する。本発明者らは、生成物ラインのホールドアップボリュームが〜２００ｕｌであることから生成物送達ラインを洗い流すために気体供給を追加する必要があった。カラムの分解能は十分に高いので、最終生成物の純度は標準的なセミ分取ＨＰＬＣカラムを使用して通常得られる純度より高くなることになる。
【００６０】
上記の実施例では、システムはＳＦＢ用に設定された。典型的な直接標識法からのＦＬＴの捕捉について試験するために、０．６ｍｌのアセトニトリル中に２０ｍｇのＦＬＴ前駆体（３−ＮＢｏｃ−５’−Ｏ−ジメトキシトリチル−３’−Ｏ−ノシル−チミジン）がＦＬＴの加水分解に使用される５ｍｌのＶバイアルに入れられて、通常の加水分解マクロが実行された。加水分解で通常見られるすべての溶液色が観察された。最終溶液（〜３．５ｍｌ）に、１０％エタノール／水に溶解された０．１ｍｇ／ｍｌのＦＬＴ溶液５０ｕｌが添加（スパイク）された。
【００６１】
加水分解から得られた初期溶液は、ＦＬＴのＱＣのために使用される標準的な分析ＨＰＬＣシステムに注入され、図５Ｇおよび５Ｈに示されている。
疑似加水分解（ｓｉｍｕｌａｔｅｄ  ｈｙｄｒｏｌｙｓｉｓ）から得られ、かつＦＬＴ標準物が添加（スパイク）されたＦＬＴの初期溶液。ＦＬＴ標準物のピーク形状は、標識ＦＬＴ合成の加水分解で使用された酸を中和するために用いられた塩類の存在によって歪められた。このピークのエリアは６９．４ｍＡＵ＊ｓであり、１．７のシンメトリーを有している。
【００６２】
該溶液の一体型カラムでの捕捉から収集された溶液は分析システムに注入され、得られたクロマトグラムおよびＦＬＴ領域の拡大クロマトグラムが図５Ｉおよび５Ｊに示されている。図５Ｉおよび５Ｊに示されたクロマトグラムに見られるように、極性の不純物は一体型カラムには保持されない。これにより、分析カラムに配される材料から、塩類、未反応のフッ化物および極性の放射性分解生成物を除去することが可能となろう。
【００６３】
上記に見られるように、ＦＬＴは一体型カラムによって完全に保持された。
その後、一体型カラムは、ＦＬＴ分析ＨＰＬＣカラム（Ｐｈｅｎｏｍｅｎｅｘ（登録商標）Ｓｙｎｅｒｇｉ（商標）４ｕ  Ｈｙｄｒｏ−ＲＰ  ８０Ａ、４．６×１５０ｍｍ）の前に取り付けられ、試料は１０％アセトニトリル／水のＦＬＴ移動相（０〜１２分）とその後の９０％アセトニトリル／水への線形グラジエント（１２〜２０）を使用して溶出された。一体型カラムからの材料の溶出から得られたクロマトグラムは図５Ｋおよび５Ｌに示されている。ＦＬＴピークは一体型カラムの付加によりおよそ１分遅く溶出され、９．３’のピークは同一性の確認のための分析システムへの注入用に収集された。
【００６４】
この実施例では、段数は３７２６であってシンメトリーは１．０８９であり、よって塩類の除去によりピーク形状が著しく改善され、かつピークの全体積は＜１ｍｌである。これは、ほぼ５倍（５×）の放射能濃度の増大、および精製に使用される溶媒の〜８０ｍｌから〜１０ｍｌへの低減をもたらすことになる。
【００６５】
上記の実施例から示されるように、該システムは一体型カラムに適用された事実上すべての材料を捕捉する能力を提供する。さらに、この材料の通常のセミ分取精製では５〜６ｍｌの体積を生じる。該分析カラムの使用では〜０．９の全体積を生じる。加えて、カラムの分解能は十分に高いので最終生成物の純度は通常得られる純度より高いことになる、というのも通常のセミ分取カラムを使用すると接近したピークが存在し、典型的にはコールドの不純物ピークを排除するために放射性ピークのうちの一部が廃棄されるからである。さらに、動物実験については、ピークの前後の部分は通常収集されず、ピークの両側の中央部分のみが収集されるようになっており、これが活性の若干の損失をもたらすが、該分析システムで同じことが行われれば、さらに高い放射能濃度を得ることになろう。加えて、１０％アセトニトリル／水という分析溶媒は１０％エタノール／水または通常の８％エタノール／リン酸緩衝生理食塩水に置き換えることが可能であり、これはアセトニトリルを取り除く必要をなくすことになる。
【００６６】
上述された以外の本発明の数多くの他の実装が、添付の特許請求の範囲によって定義される本発明の範囲内にある。
【図１】
2015517092.tif 000003
【図２】
2015517092.tif 000004
【図３Ａ】
2015517092.tif 000005
【図３Ｂ】
2015517092.tif 000006
【図４】
2015517092.tif 000007
【図５Ａ】
2015517092.tif 000008
【図５Ｂ】
2015517092.tif 000009
【図５Ｃ】
2015517092.tif 000010
【図５Ｄ】
2015517092.tif 000011
【図５Ｅ】
2015517092.tif 000012
【図５Ｆ】
2015517092.tif 000013
【図５Ｇ】
2015517092.tif 000014
【図５Ｈ】
2015517092.tif 000015
【図５Ｉ】
2015517092.tif 000016
【図５Ｊ】
2015517092.tif 000017
【図５Ｋ】
2015517092.tif 000018
【図５Ｌ】
2015517092.tif 000019
【国際調査報告】
2015517092.tif 000020